(57)【特許請求の範囲】
【請求項１】
棒状の光源と、該光源の光を側端面から入射して該光を出射面から出射させる構造を有する導光板とを備え、前記光源と、前記導光板の側端部とを覆うように配設されたカバー部材により前記導光板の側端部に前記光源が支持されており、前記カバー部材の両端側に、前記導光板の側端部をその幅方向に両側から挟み込む突片が形成され、それら突片により前記導光板がその幅方向に位置決めされており、 
前記カバー部材の両端部に前記導光板の幅方向に外側に突出する突出部が形成され、前記各突出部から各突出部の長さ方向に直交する方向に向かって前記導光板の長さ方向に沿う突片が延設されており、前記両突片の間隔が、前記導光板の幅とほぼ同一に形成され、
前記突片が、当該面発光装置を支持するための筐体に固定する嵌合部とされたことを特徴とする面発光装置。
【請求項２】
前記カバー部材の内面側に、前記導光板の側端部に当接する凸部が形成されており、前記カバー部材がこれら凸部を介して前記導光板側端部を挟みつけてなることを特徴とする請求項１に記載の面発光装置。
【請求項３】
前記突片が、前記カバー部材両端部から前記導光板の厚さ方向に沿って延設された基部と、該基部の先端から前記導光板の長さ方向に沿って延設された板状の嵌合板と、該嵌合板の外側の辺端から突設され、前記嵌合板との接続部で上方に屈曲された掛止部と、前記嵌合板の先端部から上方に屈曲されて形成された掛止突部とを備えたことを特徴とする請求項１または請求項２のいずれか１項に記載の面発光装置。
【請求項４】
前記カバー部材の内面側に、光源からの光を反射させるための反射膜が形成されたことを特徴とする請求項１〜３のいずれか１項に記載の面発光装置。
【請求項５】
請求項１〜４のいずれか１項に記載の面発光装置を、液晶表示素子の前面側に備えたことを特徴とする液晶表示装置。
【請求項６】
請求項１〜４のいずれか１項に記載の面発光装置と、該面発光装置の出射面側に配置された液晶表示素子と、前記面発光装置及び液晶表示素子を支持するための筐体とを備え、
前記面発光装置のカバー部材の突片に、前記筐体に設けられた鈎型の掛止部材が係合されて、前記面発光装置と液晶表示素子と筐体とが一体に固定されたことを特徴とする液晶表示装置。
【請求項７】
前記嵌合板の長さと、前記掛止部材の幅とがほぼ同一とされたことを特徴とする請求項６に記載の液晶表示装置。
【発明の詳細な説明】
【０００１】
【発明の属する技術分野】
本発明は、面発光装置および液晶表示装置に関するものである。
【０００２】
【従来の技術】
従来、周囲光を光源として表示を行う反射型液晶表示装置においては、その輝度が周囲光の光量に左右されるために、暗所での使用時など十分な周囲光が得られない環境では、表示の視認性が極端に低下するという問題があった。そこで、反射型の液晶表示ユニット（液晶表示素子）の前面側にフロントライト（面発光装置）を配して補助光源として用いるタイプの液晶表示装置が提案されている。このフロントライトを備える液晶表示装置は、昼間の屋外などの周囲光が十分に得られる環境では通常の反射型液晶表示装置として動作し、必要に応じて上記フロントライトを点灯させて光源とするものである。このように液晶表示ユニットの前面にフロントライトを配設した液晶表示装置の一例を図６に示す。この図６に示す液晶表示装置１００は、液晶表示ユニット１２０と、フロントライト１１０とを備えて構成され、液晶表示ユニット１２０の表示領域に導光板１１２が配置するように液晶表示ユニット１２０の前面（図６の上面）にフロントライト１１０が配設されている。
【０００３】
フロントライト１１０は、透明なアクリル樹脂などを射出成形して作製された平板状の導光板１１２と、この導光板１１２の側端面側に配された棒状のバー光源１１３とを備えて構成されており、側面視コ字型の金属板からなる光源カバー１１５が、バー光源１１３側から装着されている。すなわち、この光源カバー１１５が、その内部にバー光源１１３を収納するとともに、光源カバー１１５の開口側先端部の内面で導光板１１２の上下面のバー光源側の側端部を把持することで、導光板１１２とバー光源１１３とを所定の位置に支持している。また、光源カバー１１５の内面側には、導光板１１２に入射せずに、光源カバー１１５の内面に向かって出射される光を導光体１１３ａへ戻して利用するための銀薄膜などからなる反射膜（図示せず）が設けられている。前記導光板１１２の下面（液晶表示ユニット１２０側）は光が出射される出射面とされ、この出射面と反対側の面（導光板１１２の上面）は、導光板１１２の内部を伝搬する光の方向を変えるためにくさび状の溝１１４が交互に周期的に配置されたプリズム面１１２ｃとされている。
【０００４】
バー光源１１３は、棒状の導光体１１３ａと、その両端部に配設された発光素子としてのＬＥＤ（Light Emitting Diode；発光ダイオード）１１３ｂとを備えており、ＬＥＤ１１３ｂから出射された光を導光体１１３ａにより導光板１１２の側端面１１２ａに導き、導光板１１２内に光を導入させるようになっている。
【０００５】
液晶表示ユニット１２０は、反射型の液晶表示ユニットとされ、内蔵または外付けの反射板により前記フロントライト１１０から入射した光を反射させて表示を行うようになっている。以上の構成の液晶表示装置１００は、十分な外光が得られる環境においては、この外光を反射させて通常の反射表示を行い、外光が得られない暗所においては、フロントライト１１０を光源とし、この光を反射させて表示を行うようになっている。
【０００６】
【発明が解決しようとする課題】
しかしながら、上記構成の液晶表示装置１００においては、加熱と冷却を周期的に繰り返して行う加速試験を行った場合に、フロントライト１１０の輝度が部分的に低下するという現象を起こす場合があった。この問題について、本発明者らが調査を行ったところ、上記輝度の低下は、導光板１１２と導光体１１３ａとの位置のずれに起因するものであることが明らかになった。
【０００７】
図７は、図６に示すフロントライト１１０の光路を示す平面図である。図７に示すように、バー光源１１３の導光体１１３ａには、導光板１１２と反対側の面がプリズム面１１８とされており、ＬＥＤ１１３ｂから導光体１１３ａへ入射した光は、このプリズム面１１８で反射されて導光板１１２側へ出射されるようになっている。このような構造のフロントライト１１０においては、プリズム面１１８により反射された光の伝搬方向は、狭い範囲に限定されるため、導光板１１２内に均一に光を導入するためには、バー光源１１３の導光体１１３ａに対する導光板１１２の位置を厳密に調整する必要があり、特に、導光板１１２の幅方向において厳密に位置決めを行う必要がある。例えば図７に示すように、導光板１１２が図示右方向に位置がずれた場合には、導光板１１２の右端部１１６の光量が一部低下して出射光量が面内で不均一になり易く、液晶表示装置１００の視認性を一部低下させることとなる。
【０００８】
上述のように、上記液晶表示装置１００においては、バー光源１１３と導光板１１２とは、側面視コ字型の光源カバー１１５をバー光源１１３側の側端部に被着することにより固定されているので、導光板１１２は、光源カバー１１５の内面側で把持されている。このような構造では、光源カバー１１５の内面の広い面で導光板１１２を挟み付けているので、光源カバー１１５の内面側に設けられた反射膜の膨張収縮を、光源カバー１１５の内面の広い面で受けてしまい導光板１１２の位置がずれ易くなる。
【０００９】
従って、本発明の目的の一つは、バー光源と導光板とを正確な位置に配置するとともに、その配置を保持することができる、信頼性に優れた面発光装置を提供することにある。
また本発明の目的の一つは、面発光装置と液晶表示素子とを正確な位置に保持することができる、信頼性に優れた液晶表示装置を提供することにある。
【００１０】
【課題を解決するための手段】
上記の目的を達成するために、本発明は以下の構成を採用した。本発明の面発光装置は、棒状の光源と、該光源の光を側端面から入射して該光を出射面から出射させる構造を有する導光板とを備え、前記光源と、前記導光板の側端部とを覆うように配設されたカバー部材により前記導光板の側端部に前記光源が支持されており、前記カバー部材の両端側に、前記導光板の側端部をその幅方向に両側から挟み込む突片が形成され、それら突片により前記導光板がその幅方向に位置決めされており、 
前記カバー部材の両端部に前記導光板の幅方向に外側に突出する突出部が形成され、前記各突出部から各突出部の長さ方向に直交する方向に向かって前記導光板の長さ方向に沿う突片が延設されており、前記両突片の間隔が、前記導光板の幅とほぼ同一に形成され、
前記突片が、当該面発光装置を支持するための筐体に固定する嵌合部とされたことを特徴とする面発光装置。
【００１１】
このような構成とすることで、カバー部材の両端に設けられた突片により導光板をその幅方向に正確に位置決めすることができるので、導光板と光源とがずれにくく、信頼性に優れた面発光装置を実現することができる。
また、このような構成とすることで、導光板の幅方向の動きが、その両側に配置された突片により制限され、光源と導光板とをよりずれにくく固定することができる。
さらにまた、このような構成とすることで、面発光装置を電子機器に搭載する際に、正確な位置に面発光装置を固定しやすくなり、製造時の作業効率を高めることができる。また、本発明の面発光装置は、上述のように光源と導光板とを突片により正確に位置決めできるとともに、これらが極めてずれにくい構造とされているので、上記嵌合部によりカバー部材を確実に筐体に固定することで、例えばこの導光板の背面側に配置される表示装置と導光板との位置も正確に位置決めすることができる。
【００１３】
次に、本発明の面発光装置は、前記カバー部材の内面側に、前記導光板の側端部に当接する凸部が形成されており、前記カバー部材がこれら凸部を介して前記導光板側端部を挟みつけてなることを特徴とする。
【００１４】
本構成の面発光装置は、導光板を固定しているカバー部材の内面側に凸部を設け、この凸部を介してカバー部材が導光板を把持する構造としたことで、従来のカバー部材のように内面または辺端部で導光板を固定する構造に比して、導光板とカバー部材との接触面積を低減することができ、光源カバーと導光板との膨張収縮に伴う寸法の変化が、互いに及び難い構造とされている。従って、加熱冷却に伴って導光板と光源との位置がずれることが無く、信頼性に優れた面発光装置を得ることができる。
【００１８】
次に、本発明の面発光装置においては、前記突片が、前記カバー部材両端部から前記導光板の厚さ方向に沿って延設された基部と、該基部の先端から前記導光板の長さ方向に沿って延設された板状の嵌合板と、該嵌合板の外側の辺端から突設され、前記嵌合板との接続部で上方に屈曲された掛止部と、前記嵌合板の先端部から上方に屈曲されて形成された掛止突部とを備えた構成とすることができる。
【００１９】
すなわち、導光板長さ方向に沿って延設された板状の嵌合板の外側に、筐体と固定するための掛止部を設けることで、筐体への固定を容易にすることもに、嵌合板先端に上記掛止突部を設けることで、筐体に固定された面発光装置の導光板長さ方向への動きを規制することができ、面発光装置を正確に位置決めし、かつその位置がずれにくい構造とすることができる。
【００２０】
次に、本発明の面発光装置においては、前記光源カバーの裏面側に、光源の光を反射させるための反射膜が形成された構成とすることが好ましい。このような構成とすることで、光源カバーの内面側に入射する光を反射させて、光源カバーによる光の損失を抑え、光源の利用効率を高めることができる。
【００２１】
次に、本発明の液晶表示装置は、先のいずれかに記載の面発光装置を、液晶表示素子の前面側に備えたことを特徴とする。すなわち、上述の優れた信頼性を備えた本発明の面発光装置を備えることで、加熱や冷却による輝度の低下が起こりにくく、長期間にわたり優れた視認性を発揮する液晶表示装置を実現することができる。
【００２２】
次に、本発明の液晶表示装置は、先に記載のカバー部材に嵌合部としての突片を備えた面発光装置と、該面発光装置の出射面側に配置された液晶表示素子と、前記面発光装置及び液晶表示素子を支持するための筐体とを備え、前記面発光装置のカバー部材の突片に、前記筐体に設けられた鈎型の掛止部材が係合されて、前記面発光装置と液晶表示素子と筐体とが一体に固定されたことを特徴とする。このような構成とすることで、嵌合部を介して面発光装置を筐体に容易、かつ正確に固定することができる。
【００２３】
次に、上記本発明の液晶表示装置においては、前記突片の嵌合板の長さと、前記掛止部材の幅とがほぼ同一とされた構成とすることが好ましい。このような構成とすることで、面発光装置の筐体に対する位置をよりずれにくいものとすることができる。これは、筐体の掛止部材に対する面発光装置の導光板の長さ方向の動きが、嵌合部に設けられた掛止突部により制限されるためである。また、面発光装置の導光板幅方向の動き、及び導光板厚さ方向の動きは、嵌合部の外側に設けられた掛止部に上記掛止部材を係合させることで制限される。従って、本構成によれば、筐体に対する面発光装置の位置を極めてずれにくくすることができ、信頼性に優れた液晶表示装置を実現することができる。
【００２４】
【発明の実施の形態】
以下、本発明の実施の形態を図面を参照して説明するが、本発明は以下の実施の形態に限定されるものではない。
【００２５】
（面発光装置）
図１は、本発明の一実施の形態である面発光装置の斜視図であり、図２は、図１に示す面発光装置の部分平面図である。これらの図に示すフロントライト（面発光装置）１０は、透明な樹脂材料からなる平板状の導光板１２と、この導光板１２の側端面１２ａ側の側端部（長方形状の導光板１２の短辺側の一端部）に配された棒状のバー光源（光源）１３とを備えて構成され、横断面コ字型の光源カバー１５が、バー光源１３側から被着され、光源カバー（カバー部材）１５の先端部側で導光板１２の上下面を挟みこんで、導光板１２とバー光源１３とが固定されている。
【００２６】
導光板１２は、透明な平板状の部材であり、光源１３と対向する側端面１２ａを入光面とし、この側端面１２ａから内部に導入された光を、側端面１２ａとほぼ平行なくさび状の溝１４が間欠的にストライプ状に形成された反射面１２ｃで反射させることにより、反射面１２ｃの反対側の面（図示下面）から出射させる構造とされている。この導光板１２は、透明なアクリル樹脂などの樹脂材料を平板状に射出成形する方法などにより作製することができる。また、導光板１２を構成する材料としてはアクリル系樹脂のほか、ポリカーボネート系樹脂、エポキシ樹脂などの透明な樹脂材料や、ガラスなどを用いることができる。また、具体的な例を挙げるならば、特に限定されるものではないが、アートン（商品名：ＪＳＲ社製）や、ゼオノア（商品名：日本ゼオン社製）などを好適なものとして挙げることができる。
【００２７】
光源１３は、図２に示すように、アクリル系樹脂やポリカーボート系樹脂などからなる四角柱状の棒状の導光体１３ａと、この導光体１３ａの長手方向両端に配設されたＬＥＤ（白色ＬＥＤ）からなる発光素子１３ｂ，１３ｂとから構成されている。前記導光体１３ａの側面のうち、導光板１２と反対側の面には、プリズム形状が形成されたプリズム面１８とされおり、発光素子１３ｂ，１３ｂから導光体１３ａ内に導入された光をこの面で反射させることで、導光板１２側へ光の伝搬方向を変え、導光板１２の側端面側に発光素子１３ｂ，１３ｂから出射された光を照射するようになっている。
【００２８】
尚、光源１３としては、本実施形態ではＬＥＤからなる発光素子１３ｂを備えたものを用いた構成としたが、この発光素子は冷陰極管や有機ＥＬ素子等を用いたものであってもよく、導光板１２の側端面１２ａに光を均一に照射することができるものであればいずれのものでも好適に用いることができる。
【００２９】
光源カバー１５は、光源１３と導光板１２とを支持、固定するために光源１３側から被着されており、この光源カバー１３は、例えばステンレス鋼等の金属板を加工して構成することができる。本実施形態では、光源カバー１５を側面視コ字型としたが、この側面形状は光源１３の形状に合わせて適宜選択すれば良く、光源１３が円柱状であれば、その側面形状に沿った形状とすることもできる。あるいは、光源カバー１５の両側端に、発光素子１３ｂ、１３ｂの外側を覆う側方板を設けてもよい。
【００３０】
図３は、図２に示すＡ−Ａ線に沿うフロントライト１０の部分断面図である。図２及び図３に示すように、この実施形態の光源カバー１５の上側内面には、導光板１２の上面（反射面１２ｃ）を押圧して固定するための２つの凸部１５ａが形成されており、また光源カバー１５の内面側には、銀やアルミニウムなどの高反射率の金属薄膜からなる反射膜１７が形成されている。本実施形態のフロントライト１０においては、光源１３側から被着された光源カバー１５が、導光板１２の上面側においては、凸部１５ａにより点で支持され、一方導光板１２の下面側においては、光源カバー１５の下部の内面で支持される構造とされている。この構造により、反射膜１７や光源カバーの膨張収縮による応力が、導光板１２の広い面にかかり難くなり、導光板１２と光源１３の位置がずれ難いフロントライト１０を実現している。また、図３に示すように光源カバー１５の内面側には反射膜１７が形成されており、光源カバー１５の内面側に入射する光をこの反射膜１７で反射させることで、光の利用効率を高める構造とされている。
【００３１】
尚、本実施形態では、光源カバー１５の上部側内面に２つの凸部１５ａを設けた構成について説明したが、この凸部１５ａの寸法や設置数等は適宜変更することができる。例えば、光源カバー１５の上部側のみならず、下部側内面にも凸部を形成し、導光板１２を凸部のみで挟持する構成とすることもでき、あるいは光源カバー１５の上部側に１つまたは３つ以上の凸部を形成しても良い。ただし、それぞれの凸部による押圧力にばらつきがあると、導光板１２の位置がずれる原因となる場合があるので、導光板１２の幅方向中央部を起点として左右対称に凸部を配置することが好ましい。
【００３２】
光源カバー１５の上部両側には、図１に示すように、導光板１２の厚さ方向に突片１６、１６が延出されて形成され、それぞれの突片１６は、光源カバー１５の上部側両端のから導光板１２の厚さ方向に沿って延設された基部１６ｄと、この基部１６ｄの先端部から導光板１２の長さ方向に沿って延設された嵌合板１６ａとを備え、２つの突片１６、１６の間隔は、導光板１２の幅とほぼ同一とされている。換言すれば、本実施形態のフロントライト１０においては、光源カバー１５の突片１６、１６の間に導光板１２が挿入されてその幅方向に位置決めされて固定されている。従って、仮に導光板１２をその幅方向に移動させる応力が導光板１２に作用したとしても、この突片１６、１６により導光板１２の幅方向の動きが制限されるので、導光板１２の位置のずれが極めて起こりにくい構造となっている。
【００３３】
上記突片１６、１６と導光板１２との間隔は、０．１ｍｍ以下とされることが好ましい。この突片１６と導光板１２との間隔が０．１ｍｍを越えると、光源１３の導光体１３ａと導光板１２との位置のずれが０．１ｍｍを越えるようになり、導光板１２の出射面における輝度が一部低下して、輝度の均一性が低下するので好ましくない。
【００３４】
また、突片１６は、図１、図２に示すように、導光板１２の厚さ方向に延出された基部１６ｄと、この基部１６ｄから延出され、導光板１２の反射面１２ｃと平行に形成された板状の嵌合板１６ａと、この嵌合板１６ａから外側に突設されるとともに、その基端部で上方（嵌合板１６ａと垂直方向）に若干屈曲された掛止部１６ｂと、嵌合板１６ａの先端部から延出され、その基端部で上方（嵌合板１６ａと垂直方向）に屈曲された掛止突部１６ｃとから構成されている。この突片１６はフロントライト１０を、表示装置の前面に固定したり、電子機器へ固定するために設けられている。そして、上記の構造を採用したことにより、フロントライト１０を固定する際の位置決めや、その取付を容易なものとすることができ、かつフロントライト１０の位置ずれを防止することができる。この構造とその作用について、以下に、本実施形態のフロントライト１０を搭載した電子機器の一例として、フロントライト１０を液晶表示ユニット（液晶表示素子）の前面に配置した液晶表示装置について説明する。
【００３５】
図４は、上記本実施形態のフロントライト１０を液晶表示ユニット２０の前面に配置し、両者を筐体３０で支持して構成された液晶表示装置を示す斜視図である。図５は、図４に示す液晶表示装置の、筐体３０とフロントライト１０との係合部分を拡大して示す斜視図である。これらの図に示す液晶表示装置は、箱型の筐体３０の内部に液晶表示ユニット２０を収納し、この液晶表示ユニット２０の前面（上面）にフロントライト１０を配置するとともに、筐体３０に設けられた鈎型の掛止部材３０ａを、カバー部材１５の突片１６に係合させて、フロントライト１０と、液晶表示ユニット２０と、筐体３０とを一体的に固定したものである。
【００３６】
図５に示すように、本例の液晶表示装置では、筐体３０に設けられた鈎型の掛止部材３０ａを、突片１６の掛止部１６ｂに係合させてフロントライト１０を固定しているが、この掛止部材３０ａの幅が、突片１６の嵌合板１６ａの長さ（基部１６ｄの先端部から掛止突部１６ｃの基端部までの長さ）が、ほぼ同一とされている。これにより、突片１６に係合された掛止部材３０ａは、その側面に配された基部１６ｄと掛止突部１６ｃとほぼ当接した状態となる。従って、筐体３０に固定されたフロントライト１０の導光板１２の長さ方向への動きが、基部１６ｄと掛止突部１６ｃに挟まれた掛止部材３０ａより制限されて、フロントライト１０と、液晶表示ユニット２０との位置がずれにくくなっている。また、この構造により、筐体３０に対してフロントライト１０を正確に位置決めすることができ、かつその位置を保持することができるようになっている。また、上記の構成により、筐体３０へフロントライト１０を固定する場合、掛止部材３０ａを突片１６に係合させるのみで良く、極めて容易に液晶表示装置を構成することができる。
【００３７】
【発明の効果】
以上、詳細に説明したように、本発明の面発光装置は、棒状の光源と、該光源の光を側端面から入射して該光を出射面から出射させる構造を有する導光板とを備え、前記光源と、前記導光板の側端部とを覆うように配設されたカバー部材により前記導光板の側端部に前記光源が支持されており、前記カバー部材の両端側に、前記導光板の側端部をその幅方向に両側から挟み込む突片が形成され、それら突片により前記導光板がその幅方向に位置決めされた構成としたことで、導光板の幅方向の動きが、この突片により制限され、光源に対して導光板がその幅方向にずれないようにすることができる。
【００３８】
次に、本発明の面発光装置は、棒状の光源と、該光源の光を側端面から入射して該光を出射面から出射させる構造を有する導光板とを備え、前記光源と、前記導光板の一部とを覆うように配設された光源カバーにより前記導光板の側端面に前記光源が支持されており、前記光源カバーの内面側に凸部が形成され、該凸部により前記導光板が支持された構成としたことで、従来の光源カバーの内面または辺端部で導光板を固定する構造に比して、導光板と光源カバーとの接触面積を低減することができ、光源カバーと導光板との膨張収縮に伴う寸法の変化が、互いに及び難い構造とされている。従って、加熱冷却に伴って導光板と光源との位置がずれることが無く、信頼性に優れた面発光装置を実現することができる。
【００３９】
次に、本発明の面発光装置は、棒状の光源と、該光源の光を側端面から入射して該光を出射面から出射させる構造を有する導光板とを備え、前記光源と、前記導光板の側端部とを覆うように配設されたカバー部材により前記導光板の側端部に前記光源が支持されており、前記カバー部材の内面側に、前記導光板の側端部に当接する凸部が形成されており、前記カバー部材がこれら凸部を介して前記導光板側端部を挟みつけてなる構成としたので、導光板を固定しているカバー部材の内面側に凸部を設け、この凸部を介してカバー部材が導光板を把持する構造としたことで、従来のカバー部材のように内面または辺端部で導光板を固定する構造に比して、導光板とカバー部材との接触面積を低減することができ、光源カバーと導光板との膨張収縮に伴う寸法の変化が、互いに及び難い構造とされている。従って、加熱冷却に伴って導光板と光源との位置がずれることが無く、信頼性に優れた面発光装置を得ることができる。
【００４０】
さらには、光源カバーに上記凸部と、突片とを具備した構成とするならば、加熱冷却に伴う導光板や光源カバーの膨張収縮により導光板と光源との位置がずれることのない、より信頼性に優れた面発光装置を得ることができる。
【００４１】
次に、本発明の液晶表示装置は、カバー部材に突片を備えた面発光装置と、該面発光装置の出射面側に配置された液晶表示素子と、前記面発光装置及び液晶表示素子を支持するための筐体とを備え、前記面発光装置のカバー部材の突片に、前記筐体に設けられた鈎型の掛止部材が係合されて、前記面発光装置と液晶表示素子と筐体とが一体に固定された構成としたことで、嵌合部（突片）を介して面発光装置を筐体に容易、かつ正確に固定することができる。
【００４２】
特に、前記突片の嵌合板の長さと、前記掛止部材の幅とがほぼ同一とされた構成とするならば、筐体に対する面発光装置の位置ずれを極めて起こり難くすることができ、信頼性に優れた液晶表示装置を実現することができる。
【図面の簡単な説明】
【図１】  図１は、本発明の一実施の形態であるフロントライトの斜視図である。
【図２】  図２は、図１に示すフロントライトの部分平面図である。
【図３】  図３は、図２に示すフロントライトの部分断面図である。
【図４】  図４は、本発明に係るフロントライトを備えた液晶表示装置の一例を示す図である。
【図５】  図５は、図４に示す液晶表示装置の、筐体とフロントライトとの係合部分を拡大しして示す斜視図である。
【図６】  図６は、従来のフロントライトの一例を示す斜視図である。
【図７】  図７は、図６に示すフロントライトの部分平面図である。
【符号の説明】
１０  フロントライト（面発光装置）
１２  導光板
１３  バー光源（光源）
１５  光源カバー（カバー部材）
１５ａ  凸部
１６  突片（嵌合部）
１６ａ  嵌合板
１６ｂ  掛止部
１６ｃ  掛止突部
１６ｄ  基部
２０  液晶表示ユニット（液晶表示素子）
３０  筐体
３０ａ  掛止部材
【図１】
0003962228.tif 000002
【図２】
0003962228.tif 000003
【図３】
0003962228.tif 000004
【図４】
0003962228.tif 000005
【図５】
0003962228.tif 000006
【図６】
0003962228.tif 000007
【図７】
0003962228.tif 000008